(57)【特許請求の範囲】
【請求項１】
取付基台と受けホルダーと締付けホルダーとからなる水道用メーター配管連結ホルダーであって、取付基台は、中央部に、両端を回動軸とした取付けメーターが少なくとも半回動可能な凹陥スペースが設けられ、両端部に、ボス部が設けられ、受けホルダー及び締付けホルダーは、ホルダー本体部をメーター端部嵌入着合部が回動可能に構成された独立部材に構成し、取付基台ボス部に、受けホルダーと締付けホルダーとをそれぞれ上部からボルトで締着して水道用メーターを中軸レベルに支持する水道用メーター配管連結ホルダー
【請求項２】
受けホルダー及び締付けホルダーのいずれか一方若しくは双方の配管連結構造部を、水道メーター端部嵌入着合部と連結構造部の間に着合する部材を摺動回動可能にする回動機構を備えて構成した請求項１記載の水道用メーター配管連結ホルダー
【請求項３】
受けホルダーと締付けホルダーのいずれか一方若しくはその双方の回動可能な配管連結構造部をエルボ型継手構造に構成した請求項１又は請求項２記載の水道用メーター配管連結ホルダー
【請求項４】
エルボ型継手構造部の、ホルダー本体部との接合部及び着合部材連結部との接合部のいずれか一方若しくはその双方に回動機構を設けるように構成した請求項３記載の水道用メータ配管連結ホルダー
【発明の詳細な説明】
【０００１】
【産業上の利用分野】
本発明は、集合住宅など設置環境から設置スペースや配管方向等が制約されている場所に水道用メーターを設置する場合に用いる水道用メーターの配管連結ホルダーに関するものである。
【０００２】
【従来の技術】
従来、この種の配管連結ホルダーは、水道用メーターを両側から保持するホルダーベース部がベース本体に固定され、ベース本体は特定方向に取付ける固定された形状に構成したものが用いられ、両側の構造配管にメーターが連結されることによりメーターが構造配管により支持固定されるようになっていた。
【０００３】
また、メーターがベース本体により床面や壁面に支持固定される場合にも、水道用メーターを嵌着する受けホルダーと締付けホルダーは、ベース本体からは容易に取外しのできない構成となっており、両ホルダーをベース本体に取り付けたものが、ホルダーユニットとして構成されるようになっている。
【０００４】
更に、両ホルダーにおいて水道用メーター端部の嵌入着合部が回動する構造のものは存在したが、その外側の配管連結構造部が回動する構造のものは存在しなかった。
【０００５】
【発明が解決しようとする課題】
以上のように従来の水道用メーターの配管連結ベースは、ベース本体の一端に前進後退の作動をする締付けホルダーベース、他端にこれと対峙する受けホルダーベースを着脱可能に嵌着すると共に、水道用メーターの一端を受けホルダーベースに着合し、他端を締付けホルダーベースに嵌入して締付けホルダーベースを前進させることにより、受けホルダーと締付けホルダーの間に水道用メーターを挟着することが目的とされているため、ホルダー構造自体を壁面や床面に対して安定した形態で取付ることができなかった。
【０００６】
特に、壁面や床面に対して取付けスペースが狭隘で、構造配管が変位的に配置されている場合には、水道用メーターの方を回動変位させるなどしてホルダー部に着合し、ホルダー部の前進による挟圧力のみで固定することになるが、メーター部の重量が重く、角度変位させて着合すると重力がアンバランスとなり、メーター部の重量が全面的にホルダー部の角度保持力に掛かって充分な支持力が得られないという問題を残している。
【０００７】
更に、ベース本体が取付け対象を限定する固定された形状となっているため、配管中に取付けベースを求めることは不可能な状況になっている。
【０００８】
【課題を解決するための手段】
本発明は上記した問題に対応しようとするものであり、中央部に、両端を回動軸とした水道用メーターが少なくとも半回動可能な凹陥スペースを設け、水道用メーターを中軸レベルに支持する受けホルダーと締付けホルダーを、そのレベル位置にボルト締着するボス部を両側に構成した取付基台を構成することにより、水道用メーターホルダーを壁面や床面に取付基台を直接取付けるようにして構造配管の状况に関わらず、水道用メーターを安定して設定できるようにした。
【０００９】
また、水道用メーター端部の嵌入着合部と配管連結構造部が回動可能に構成された受けホルダーと締付けホルダーを前記ボス部にそれぞれ上部からボルト締着する構造とすることにより、取付基台を壁面や床面に取付けた後にも基台の上部からボルトの着脱が可能となり、ホルダー部をパーツとして取り扱ったり、基台を取り外すことなくホルダー部の着脱を行なえるようにした。
【００１０】
更に、配管連結構造部が回動可能となっていることにより、連結される構造配管が水道用メーター軸線の延長線上にない場合でも、エルボ型継手を用いることにより連結対応が可能なようにした。
【００１１】
また更に、配管連結構造部自体をエルボ型継手構造に構成することにより、ホルダー部に内蔵装置されてきたボールバルブ等の弁構造をメーター軸線の延長線から外してエルボ回動範囲における側部に設定することができ、水道用メーターの設定面間を短縮することが可能なようにした。
【００１２】
取付基台は壁面や床面に取付けるベースとなるものであるため、取付けを安定させるためには、或る程度の重量が必要であり、底部と肉厚部について適宜の肉抜き構造として一体成形した鋳物により構成することにより、取付けの安定化と成形の効率化をはかるようにした。
【００１３】
【実施例】
以下、本発明の実施例を図面を参照して説明する。１は取付基台で、中央部に、両端を回動軸とした水道用メーターＡが少なくとも半回動可能な凹陥スペース１１を設け、水道用メーターＡを中軸レベルに支持する受けホルダー３と締付けホルダー２を、そのレベル位置にボルト締着するボス部１２、１３を両側に形成し、両側の端部は床面等への取付け部１５として一体物の鋳物により鋳造構成されている。
【００１４】
締付けホルダー２をボルト締着する側のボス部１２は、メーターＡの端部に圧接してメーターをホルダー間に挟着する嵌着枠２１の前進後退作動を行うためのハンドル２２の回動スペースを構成する凹陥スペース１４が設けられる。
【００１５】
取付基台１の両側に設けられたボス部１２、１３には、メーターＡに対して嵌着枠２１が前進後退の作動をする締付けホルダー２と、これと対峙する受けホルダー３が、それぞれ上部からのボルトによって締着固定されるようになっている。
【００１６】
締付けホルダー２は、下端部がボス部１２へのボルトＢによる締着孔を設けた取付部２３、外側端に回動機構４を介して設けられた内壁に雌螺子を刻設し鋼管等の配管を螺合する配管連結構造部２７、内側端にホルダー機構と逆止弁ユニット２４を内蔵し、外周に雄螺子２５を刻設した構造体と嵌合する嵌合部を設けたケース体２６、内壁に雄螺子２５と螺合する雌螺子２８を刻設しハンドル２２の回動操作によって螺進螺退する嵌着枠２１とから成り、Ｏリング４１が所要部に配置されてメーターホルダー内を流通する流体の洩れを防止している。
【００１７】
受けホルダー３は、下端部がボス部１３へのボルトＢによる締着孔を設けた取付部３３、内側端はメーターＡの端部に着合する嵌着枠３４を設けるとともに、その外側にボールバルブユニット３２が嵌装され、外側端には回動機構４を介して内壁に雌螺子を刻設し外周に雄螺子を刻設した鋼管等の配管を螺合する配管連結構造部３１が設けられ、締付けホルダーベース２と同様にＯリング４１が所要部に配置されてメーターホルダー内を流通する流体の洩れを防止している。
【００１８】
回動機構４は、雄側嵌入端の外周と雌側嵌装端の内周に、それぞれ弾性樹脂製の止め輪４２が嵌入する嵌入溝を設け、雄側嵌入端の外周嵌入溝に止め輪４２を嵌装して雌側嵌装端に強制圧入すると、挿入時の圧縮された止め輪４２が雌側嵌装端内周の嵌入溝において復元し、雌側嵌装端内周の嵌入溝に嵌入されて雄側嵌入端と雌側嵌装端とが接続すると共に、両嵌入溝による合成溝の内壁と止め輪４２の表面が摺動して回動可能に構成されるようになっている。
【００１９】
メーターＡは、その一端を受けホルダー３の嵌着枠３４に着合し、他端を締付けホルダーベース２の嵌着枠２１に嵌入して、ハンドル２２の回動操作によって締付けホルダー２の嵌着枠２１を前進させることにより、受けホルダーと締付けホルダーの間にメーターＡを挟着するように構成されている。
【００２０】
締付けホルダーの配管連結構造部２７、受けホルダーの配管連結構造部３１をエルボ型継手構造７に構成すれば、配管連結構造部はいずれも回動機構４を介してホルダー本体に連結されているので、エルボを任意の角度に回動することによりメーターＡの軸線方向以外の、上方、下方或いは前後水平方向にボールバルブユニット３２、伸縮ユニオン５などの構造体や給水配管を配設することができる。
【００２１】
なお、重量のある構造体や給水配管を配設する場合には、受けホルダー３のケース体の回動側端面３５、或いはエルボのホルダー本体連結端面に角状に突出し回動止めビス穴３７が穿設された係止片が設けられ、エルボの締着角度において回動機構側端面に設けられた締着孔とビス穴３７を突合させ、締着ビス３６によって角度を固定し、エルボ先端に着合される部材による負荷重量を支持するようになっている。
更に、図６に示すように、エルボ型継手構造部７のホルダー本体部との接合部及び着合部材連結部との接合部の双方に、樹脂製の止め輪４２を設定してそれぞれ前記構造の回動機構に構成することにより、水道用メータ面と他の水道用機器の操作部材、例えば、バルブの止水操作栓とを異なる方向で設置したい場合にも、エルボを回動して止水操作栓のハンドル位置を自由に設定することができ、当該水道機器と水道メータとの連結作業が容易にできる。
【００２２】
本発明は以上のように構成したので、メーター配管連結ホルダーの面間距離を短縮することができ、狭隘なスペースや変異的なスペースにも対応して安定した形で水道用メーターを設定することができる。
【００２３】
以上のように構成したメーター配管連結ホルダーを、取付基台１によってメーターＡの配設位置に取付け、１次側の流体供給路を開通させれば流体は受けホルダー３の流路からメーターＡを通過して締付けホルダー２の流路に流通し、流量等の計測が行われるものである。
【００２４】
【図面の簡単な説明】
【図１】本発明の実施例を示すもので、メーターＡを取付けた状態でホルダーの要部を断面として示す配管連結ホルダーの全体正面図
【図２】同じく、図１の平面図
【図３】同じく、１次側の配管連結構造部をエルボ型継手構造に構成した実施例の全体正面図
【図４】同じく、図３の平面図
【図５】同じく、図３の左側面図
【図６】同じく、図３のエルボ型継手構造部の部分断面図
【図７】同じく、図５のボールバルブユニットを変位させた状態図
【図８】同じく、両側を配管連結構造部をエルボ型継手構造に構成し、配管構造体を連接した実施例の全体正面図
【図９】同じく、図８の左側面図
【符号の説明】
１    取付基台
１１  取付基台のメーター回動用凹陥スペース
１２  締付けホルダーのボルト締着用ボス部
１３  受けホルダーのボルト締着用ボス部
１４  取付基台の嵌着枠進退作動ハンドル回動用凹陥スペース
１５  取付基台の壁面や床面への取付け部
２    締付けホルダー
２１  締付けホルダーのメーター端部嵌着枠
２２  メーター端部嵌着枠進退作動ハンドル
２３  締付けホルダーの取付基台への取付部
２４  逆止弁ユニット
２５  ケース体嵌合部の雄螺子
２６  締付けホルダーのケース体
２７  締付けホルダーの配管連結構造部
２８  ケース体内壁の雌螺子
３    受けホルダー
３１  受けホルダーの配管連結構造部
３２  ボールバルブユニット
３３  受けホルダーの取付基台への取付部
３４  受けホルダーのメーター端部嵌着枠
３５  受けホルダーのケース体
３６  回動止め締着ビス
３７  回動止めビス穴
４    回動機構
４１  Ｏリング
４２  樹脂製の止め輪
５    伸縮ユニオン
６    管端コア
７    エルボ型継手構造
Ａ    水道用メーター
Ｂ    締着六角ボルト
【図１】
0003612483.tif 000002
【図２】
0003612483.tif 000003
【図３】
0003612483.tif 000004
【図４】
0003612483.tif 000005
【図５】
0003612483.tif 000006
【図６】
0003612483.tif 000007
【図７】
0003612483.tif 000008
【図８】
0003612483.tif 000009
【図９】
0003612483.tif 000010